(57)【要約】【課題】ユーザが原稿画像を読み取らせる処理を行う際に、個々のユーザ毎に異なる画像処理操作環境に適応して、それぞれのユーザが戸惑うことなく手慣れている読み取り方法で意図する画像の読み取り操作指示を誤り無く行うことである。【解決手段】原稿画像を読み取って処理する画像処理装置において、原稿画像入力時に操作部に表示すべき画像読み取り方法をユーザＩＤ毎に登録しておき、ユーザによる原稿画像の読み取り時に、入力されるユーザＩＤに基づいて、操作画面に表示すべき画像読み取り方法を切り替え制御する構成を特徴とする。【選択図】　　　図２
2004112008.tif 000002
【特許請求の範囲】
【請求項１】
原稿画像を読み取って処理する画像処理装置であって、
前記原稿画像入力時に操作部に表示すべき画像読み取り方法をユーザＩＤ毎に登録する登録手段と、
前記原稿画像の読み取り時に、入力されるユーザＩＤに基づいて、操作画面に表示すべき画像読み取り方法を切り替え制御する制御手段と、
を有することを特徴とする画像処理装置。
【請求項２】
前記画像読み取り方法は、原稿画像に対する変倍指定を解像度で表示することを特徴とする請求項１または２記載の画像処理装置。
【請求項３】
前記画像読み取り方法は、原稿画像に対する変倍指定を変倍率で表示することを特徴とする請求項１または２記載の画像処理装置。
【請求項４】
前記制御手段は、入力されるユーザＩＤに基づく画像読み取り方法とともに、他の表示可能な画像読み取り方法による画像変倍条件を異なる表示形態で前記操作画面内に表示可能とすることを特徴とする請求項１記載の画像処理装置。
【請求項５】
前記制御手段は、入力されるユーザＩＤが未登録である場合に、あらかじめ登録された画像読み取り方法を前記操作画面に表示することを特徴とする請求項１記載の画像処理装置。
【請求項６】
原稿画像を読み取って処理する画像処理装置におけるユーザインタフェース制御方法であって、
前記原稿画像入力時に操作部に表示すべき画像読み取り方法をユーザＩＤ毎に登録する登録ステップと、
前記原稿画像の読み取り時に、入力されるユーザＩＤに基づいて、操作画面に表示すべき画像読み取り方法を切り替え制御する制御ステップと、
を有することを特徴とするユーザインタフェース制御方法。
【請求項７】
前記画像読み取り方法は、原稿画像に対する変倍指定を解像度で表示することを特徴とする請求項６または７記載のユーザインタフェース制御方法。
【請求項８】
前記画像読み取り方法は、原稿画像に対する変倍指定を変倍率で表示することを特徴とする請求項６または７記載のユーザインタフェース制御方法。
【請求項９】
前記制御ステップは、入力されるユーザＩＤに基づく画像読み取り方法とともに、他の表示可能な画像読み取り方法による画像変倍条件を異なる表示形態で前記操作画面内に表示可能とすることを特徴とする請求項６記載のユーザインタフェース制御方法。
【請求項１０】
前記制御ステップは、入力されるユーザＩＤが未登録である場合に、あらかじめ登録された画像読み取り方法を前記操作画面に表示することを特徴とする請求項６記載のユーザインタフェース制御方法。
【請求項１１】
請求項６〜１０のいずれかに記載のユーザインタフェース制御方法を実現するプログラムを記憶したことを特徴とするコンピュータが読み取り可能な記憶媒体。
【請求項１２】
請求項６〜１０のいずれかに記載のユーザインタフェース制御方法を実現することを特徴とするプログラム。
【発明の詳細な説明】
【０００１】
【発明の属する技術分野】
本発明は、原稿画像を読み取って処理する画像処理装置およびユーザインタフェース制御方法およびコンピュータが読み取り可能な記憶媒体およびプログラムに関するものである。
【０００２】
【従来の技術】
近年の画像形成装置は、原稿画像を画像データとして保存し、画像形成装置により記憶された画像データを記録媒体上に印字するコピー機能、またはネットワークを介して画像形成装置に送られてきたＰＤＬ言語を解釈して画像データを生成して記録媒体上に印字するプリンタ機能のみならず、原稿画像を画像データとして保存し、画像形成装置に接続されたネットワーク回線またはＦＡＸ回線を使用して画像形成装置内に記録された画像データをユーザが指定したホストコンピュータや外部のＦＡＸ機器に送信する画像送信機能も持つようになっている。
【０００３】
このような画像送信機能では原稿画像の読み取り時にユーザが画像形成装置の操作装置で原稿画像の読み取り方法を指定することができる。このとき、ユーザが指定できる読み取り方法としては原稿画像をどのような解像度で読み込むか（解像度または変倍率）、またどのくらいの濃さで読み取るか（濃度）などがある。
【０００４】
【発明が解決しようとする課題】
しかしながら、ネットワークを介して画像データを画像形成装置から、ユーザ指定先のホストコンピュータに送るときなどユーザの経験によって画像の変倍指定方法が異なる。
【０００５】
例えばＦＡＸ機器などに習熟したユーザにとっては２００ｄｐｉ×１００ｄｐｉ、２００ｄｐｉ×２００ｄｐｉなどの解像度を指定することは日常的なことである。
【０００６】
また、コピー機などに習熟したユーザにとっては解像度よりも変倍率をパーセントで入力することの方が自然である。
【０００７】
さらに、ＦＡＸ機能、ネットワーク画像送信機能、コピー機能を持つ画像形成装置においては上記のようにさまざまな経験を持つユーザが各機能を使用することになる。
【０００８】
ここで、ネットワーク画像送信機能において解像度指定、変倍率指定のどちらかに指定方法を固定すると、ユーザは新規に操作方法を覚えなくてはならなくなる。
【０００９】
これはユーザに対して負担をかけるだけでなく、画像データをスキャンして送信するときに間違った解像度や変倍率で送信してしまう事態を誘発する等の問題点があった。
【００１０】
本発明は、上記の問題点を解決するためになされたもので、本発明の目的は、原稿画像を読み取って処理する画像処理装置において、原稿画像入力時に操作部に表示すべき画像読み取り方法をユーザＩＤ毎に登録しておき、ユーザによる原稿画像の読み取り時に、入力されるユーザＩＤに基づいて、操作画面に表示すべき画像読み取り方法を切り替え制御することにより、ユーザが原稿画像を読み取らせる処理を行う際に、個々のユーザ毎に異なる画像処理操作環境に適応して、それぞれのユーザが戸惑うことなく手慣れている読み取り方法で意図する画像の読み取り操作指示を誤り無く行える利便性に優れた画像処理操作環境を自在に構築することができる画像処理装置およびユーザインタフェース制御方法およびコンピュータが読み取り可能な記憶媒体およびプログラムを提供することである。
【００１１】
【課題を解決するための手段】
本発明に係る第１の発明は、原稿画像を読み取って処理する画像処理装置であって、前記原稿画像入力時に操作部に表示すべき画像読み取り方法をユーザＩＤ毎に登録する登録手段（図８に示す設定画面に従いＣＰＵ２００１がハードディスク２００４に登録する）と、前記原稿画像の読み取り時に、入力されるユーザＩＤに基づいて、操作画面に表示すべき画像読み取り方法を切り替え制御する制御手段（図２に示すＣＰＵ２００１が実行する図１２に示すステップ（３７０１）〜（３７１２）に相当）とを有することを特徴とする。
【００１２】
本発明に係る第２の発明は、前記画像読み取り方法は、原稿画像に対する変倍指定を解像度で表示することを特徴とする。
【００１３】
本発明に係る第３の発明は、前記画像読み取り方法は、原稿画像に対する変倍指定を変倍率で表示することを特徴とする。
【００１４】
本発明に係る第４の発明は、前記制御手段は、入力されるユーザＩＤに基づく画像読み取り方法とともに、他の表示可能な画像読み取り方法による画像変倍条件を異なる表示形態で前記操作画面内に表示可能と（図１３，図１４に示す表示例）することを特徴とする。
【００１５】
本発明に係る第５の発明は、前記制御手段は、入力されるユーザＩＤが未登録である場合に、あらかじめ登録された画像読み取り方法を前記操作画面に表示することを特徴とする。
【００１６】
本発明に係る第６の発明は、原稿画像を読み取って処理する画像処理装置におけるユーザインタフェース制御方法であって、前記原稿画像入力時に操作部に表示すべき画像読み取り方法をユーザＩＤ毎に登録する登録ステップ（図示しない）と、前記原稿画像の読み取り時に、入力されるユーザＩＤに基づいて、操作画面に表示すべき画像読み取り方法を切り替え制御する制御ステップ（図２に示すＣＰＵ２００１が実行する図１２に示すステップ（３７０１）〜（３７１２）に相当）とを有することを特徴とする。
【００１７】
本発明に係る第７の発明は、前記画像読み取り方法は、原稿画像に対する変倍指定を解像度で表示することを特徴とする。
【００１８】
本発明に係る第８の発明は、前記画像読み取り方法は、原稿画像に対する変倍指定を変倍率で表示することを特徴とする。
【００１９】
本発明に係る第９の発明は、前記制御ステップは、入力されるユーザＩＤに基づく画像読み取り方法とともに、他の表示可能な画像読み取り方法による画像変倍条件を異なる表示形態で前記操作画面内に表示可能（図１３，図１４に示す表示例）とすることを特徴とする。
【００２０】
本発明に係る第１０の発明は、前記制御ステップは、入力されるユーザＩＤが未登録である場合に、あらかじめ登録された画像読み取り方法を前記操作画面に表示することを特徴とする。
【００２１】
本発明に係る第１１の発明は、第６〜第１０の発明のいずれかに記載のユーザインタフェース制御方法を実現するプログラムをコンピュータが読み取り可能な記憶媒体に記憶したことを特徴とする。
【００２２】
本発明に係る第１２の発明は、第６〜第１０の発明のいずれかに記載のユーザインタフェース制御方法を実現するプログラムであることを特徴とする。
【００２３】
【発明の実施の形態】
図１は、本発明の第１実施形態を示す画像処理装置を適用可能な画像形成システムの全体の構成を説明するブロック図である。
【００２４】
図１において、画像形成装置２００は、画像入力装置であるスキャナ２０７０、画像出力デバイスであるプリンタ２０９５、Ｃｏｎｔｒｏｌｌｅｒ　Ｕｎｉｔ２０００、ユーザインタフェースである操作部２０１２から構成される。スキャナ２０７０、プリンタ２０９５、操作部２０１２は、それぞれＣｏｎｔｒｏｌｌｅｒ　Ｕｎｉｔ２０００に接続され、Ｃｏｎｔｒｏｌｌｅｒ　Ｕｎｉｔ２０００は、ＬＡＮ２０１１などのネットワーク伝送手段に接続されている。また、ＬＡＮ２０１１には、画像形成装置２００と同様の機器構成をもつ他の画像形成装置２２０、２３０が接続されている。画像形成装置２２０，２３０は、それぞれスキャナ２２７０，２３７０、プリンタ２２９５，２３９５、操作部２２１２，２３１２を持ち、それらがＣｏｎｔｒｏｌｌｅｒ　Ｕｎｉｔ２２００，２３００に接続されている。
【００２５】
図２は、図１に示した画像形成装置のコントロールユニット２０００の構成を説明するブロック図である。
【００２６】
図２において、Ｃｏｎｔｒｏｌｌｅｒ　Ｕｎｉｔ２０００は画像入力デバイスであるスキャナ２０７０や画像出力デバイスであるプリンタ２０９５と接続し、一方ではＬＡＮ２０１１や公衆回線（ＷＡＮ）２０５１と接続することで、画像情報やデバイス情報の入出力を行う為のコントローラである。
【００２７】
ＣＰＵ２００１はシステム全体を制御するコントローラである。ＲＡＭ２００２はＣＰＵ２００１が動作するためのシステムワークメモリであり、画像データを一時記憶するための画像メモリでもある。
【００２８】
ＲＯＭ２００３はブートＲＯＭであり、システムのブートプログラムが格納されている。２００４はハードディスクドライブＨＤＤで、システムソフトウエア、画像データを格納する。
【００２９】
操作部Ｉ／Ｆ２００６は操作部（ＵＩ）２０１２とのインタフェース部で、操作部２０１２に表示する画像データを操作部２０１２に対して出力する。
【００３０】
また、操作部２０１２から本システム使用者が入力した情報を、ＣＰＵ２００１に伝える役割をする。Ｎｅｔｗｏｒｋ２０１０はＬＡＮ２０１１に接続し、情報の入出力を行う。ＭＯＤＥＭ２０５０は公衆回線２０５１に接続し、情報の入出力を行う。
【００３１】
以上のデバイスがシステムバス２００７上に配置される。Ｉｍａｇｅ　ＢｕｓＩ／Ｆ２００５はシステムバス２００７と画像データを高速で転送する画像バス２００８を接続し、データ構造を変換するバスブリッジである。
【００３２】
画像バス２００８は、ＰＣＩバスまたはＩＥＥＥ１３９４で構成される。画像バス２００８上には以下のデバイスが配置される。２０６０はラスタイメージプロセッサ（ＲＩＰ）で、ＰＤＬコードをビットマップイメージに展開する。
【００３３】
デバイスＩ／Ｆ部２０２０は、画像入出力デバイスであるスキャナ２０７０やプリンタ２０９５とコントローラ２０００を接続し、画像データの同期系／非同期系の変換を行う。スキャナ画像処理部２０８０は、入力画像データに対し補正、加工、編集を行う。
【００３４】
プリンタ画像処理部２０９０は、プリント出力画像データに対して、プリンタの補正、解像度変換等を行う。画像回転部２０３０は画像データの回転を行う。画像圧縮部２０４０は、多値画像データはＪＰＥＧ、２値画像画像データはＪＢＩＧ、ＭＭＲ、ＭＨの圧縮伸長処理を行う。
【００３５】
図３は、図２に示したスキャナ２０７０とプリンタ２０９５とが通信可能な画像入出力デバイス例を説明する図である。
【００３６】
図３において、画像入力デバイスであるスキャナ２０７０は、原稿となる紙上の画像を照明し、ＣＣＤラインセンサ（図示せず）を走査することで、ラスタイメージデータ２０７１として電気信号に変換する。原稿用紙は原稿フィーダ２０７２のトレイ２０７３にセットし、装置使用者が操作部２０１２から読み取り起動指示することにより、ＣＰＵ２００１がスキャナ２０７０に指示を与え（２０７１）、原稿フィーダ２０７２は原稿用紙を１枚ずつフィードし原稿画像の読み取り動作を行う。
【００３７】
画像出力デバイスであるプリンタ２０９５は、ラスタイメージデータ２０９６を用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ２００１からの指示２０９６によって開始する。プリンタ２０９５には、異なる用紙サイズまたは異なる用紙向きを選択できるように複数の給紙段を持ち、それに対応した用紙カセット２１０１，２１０２，２１０３がある。また、排紙トレイ２１１１は印字し終わった用紙を受けるものである。２１１２はソータである。
【００３８】
図４は、図３に示した画像入力デバイスが備える操作部２０１２の構成を説明する平面図である。
【００３９】
図４において、ＬＣＤ表示部２０１３は、ＬＣＤ上にタッチパネルシート２０１９が貼られており、システムの操作画面およびソフトキーを表示するとともに、表示してあるキーが押されるとその位置情報をＣＰＵ２００１に伝える。
【００４０】
スタートキー２０１４は原稿画像の読み取り動作を開始する時などに用いる。スタートキー２０１４の中央部には、緑と赤の２色ＬＥＤ２０１８があり、その色によってスタートキー２０１４が使える状態にあるかどうかを示す。ストップキー２０１５は稼働中の動作を止める働きをする。
【００４１】
ＩＤキー２０１６は、使用者のユーザＩＤを入力する時に用いる。リセットキー２０１７は操作部からの設定を初期化する時に用いる。
【００４２】
図５は、図２に示した操作部および操作部インタフェースの詳細構成を説明するブロック図であり、図２と同一のものには同一の符号を付してある。
【００４３】
図５において、２００１はＣＰＵで、ＲＯＭ２００３のプログラム用ＲＯＭに記憶された制御プログラム等に基づいてシステムバス２００７に接続される各種デバイスとのアクセスを総括的に制御し、画像入力部インタフェースを介して接続されるスキャナ２０７０から入力情報を読み込み、印刷部インタフェース２０９６を介して接続されるプリンタ２０９５に出力情報としての画像信号を出力する。
【００４４】
また、ＲＯＭ２００３のプログラムＲＯＭには、図１２のフローチャートで示されるような制御プログラムが記憶されている。
【００４５】
ＲＡＭ２００２はＣＰＵ２００１の主メモリ、ワークエリア等として機能する。
【００４６】
なお、ＣＰＵ２００１は、タッチパネルシート２０１９、ハードキー２０１４〜２０１７から、ユーザ入力を受け取り、操作入力部Ｉ／Ｆ２００６１を介して、操作内容を取得し、該取得した操作内容と前述の制御プログラムにもとづいて、ＣＰＵ２００１において表示画面データが生成され、画面出力デバイスを制御する出力デバイスコントローラ２００６２を介して、ＬＣＤやＣＲＴなどの画面出力デバイス２０１３に表示画面を出力する。
【００４７】
次に本発明の実施形態について、ＬＣＤ表示部２０１３に表示される画面を用いて説明する。
【００４８】
図６〜図１０は、図５に示したＬＣＤ表示部２０１３に表示される操作画面例を説明する図であり、本発明に係る画像形成装置における初期画面例に対応し、該初期画面は、各画像形成機能設定後に戻ってくる標準画面でもある。
【００４９】
図６において、３１０１は初期画面で、コントローラユニット２０００を起動すると、ＣＰＵ２００１は操作部Ｉ／Ｆ２００６を介して、操作部２０１２に初期画面３１０１として表示させる。
【００５０】
なお、初期画面３１０１は、図４に示した操作部２０１２の液晶ディスプレイ２０１９に表示される。ユーザは表示された初期画面３１０１の部門ＩＤ入力フィールド３１０２とパスワード入力フィールド３１０３にあらかじめ決められた部門ＩＤ番号とパスワードを入力することにより、図７に示す機能画面３２０１を表示してコピー機能、送信機能などの実行を行えるようになる。
【００５１】
ここで機能設定キー３２０２を押して部門ＩＤ毎の設定画面である部門ＩＤ設定画面３３０１に移行することができる。
【００５２】
部門ＩＤ設定画面３３０１は、図８に詳細を示すように、初期画面３１０１の部門ＩＤ入力フィールド３１０２に入力されるべき部門ＩＤ番号３３０２と送信時の指定表示３３０３、送信時の指定表示が変倍率であるときの主走査方向の解像度３３０４、副走査方向の解像度３３０５、部門ＩＤ番号３３０２毎に設定を行う追加キー３３０６、部門ＩＤ番号３３０２毎の設定を削除する削除キー３３０７、部門ＩＤ番号が設定されなかった場合の標準的な設定を行うための標準キー３３０８とで構成される。
【００５３】
ここで追加キー３３０６を押下することにより、図９に示す部門ＩＤ番号表示設定画面３４０１が表示される。
【００５４】
部門ＩＤ番号表示設定画面３４０１は、設定する部門ＩＤ番号を入力する部門ＩＤ番号入力フィールド３４０２、部門ＩＤ番号入力フィールド３４０２に入力した部門ＩＤ毎の指定表示を変倍率にするか、解像度にするかを設定する指定表示３４０３、該指定表示３４０３で変倍率が設定されたときの解像度を選択するための解像度設定領域３４０４、前記部門ＩＤ番号入力フィールド３４０２、指定表示３４０３、解像度設定領域３４０４で入力された設定を有効にするためのＯＫキー３４０５から構成される。
【００５５】
そして、部門ＩＤ番号入力フィールド３４０２、指定表示３４０３、解像度設定領域３４０４で設定された内容はＯＫキー３４０５が押下された時点で、ＣＰＵ２００１によりＲＡＭ２００２の領域に、図１１に示す部門ＩＤ設定管理領域エリア３６０１のように保存される。
【００５６】
部門ＩＤ設定管理領域エリア３６０１は、図８に示した部門ＩＤ設定画面３３０１として表示される項目と対応したフィールドを持ち、設定部門ＩＤ領域３６０２、指定表示領域３６０３、主走査解像度領域３６０４、副走査解像度領域３６０５からなる。
【００５７】
図８に示した部門ＩＤ設定画面３３０１の標準キー３３０８を押下することにより図１０に示す部門ＩＤ標準設定画面３５０１が液晶ディスプレイ２０１９に表示される。
【００５８】
図１０に示す標準設定画面３５０１では、標準指定表示設定フィールド３５０２と標準解像度選択フィールド３５０３と前記設定をＲＡＭ２００２上の部門ＩＤ設定管理領域エリア３６０１に反映されるためのＯＫキー３５０４から構成されている。
【００５９】
この画面で入力された設定は部門ＩＤ設定管理領域エリア３６０１の部門ＩＤ番号「００００」として登録される。
【００６０】
次に、図１２に示すフローチャートを参照して、本発明に係るユーザインタフェースカスタマイズ表示制御動作について説明する。
【００６１】
図１２は、本発明に係る表示制御装置におけるユーザインタフェース切り替え制御手順の一例を示すフローチャートであり、ＣＰＵ２００１がＲＯＭ２００３，ＨＤＤ２００４から本制御手順をＲＡＭ２００２にロードして実行することにより実現される。なお、（３７０１）〜（３７１２）は各ステップを示す。
【００６２】
図１３，図１４は、本発明に係る画像処理装置におけるユーザインタフェース切り替え表示例を示す図であり、図１３は、初期画面において、部門ＩＤで登録された画面指定に基づいて、解像度指定表示が選択された場合に表示され、図１４は、初期画面において、部門ＩＤで登録された画面指定に基づいて、変倍率指定表示が選択された場合に表示される。
【００６３】
コントローラユニット２０００を起動すると、ＣＰＵ２００１は操作部Ｉ／Ｆ２００６を介して、操作部２０１２に図６に示した初期画面３１０１を表示させる。この状態でユーザによる初期画面３１０１の部門ＩＤ入力フィールド３１０２とパスワード入力フィールド３１０３への入力待ち状態になる（３７０１）。
【００６４】
次に、ユーザによる部門ＩＤ入力フィールド３１０２とパスワード入力フィールド３１０３への入力が行われた時点で（３７０２）、ＣＰＵ２００１はＲＡＭ２００２内の部門ＩＤ設定管理領域エリア３６０１を検索することで、ユーザによって入力された部門ＩＤ番号に対して送信表示設定が行われているかどうかを判断して（３７０３）、送信表示設定が行われている場合には、図７に示した機能画面３２０１においてＳＥＮＤボタン３２０３が押下されるのを待つ状態になる（３７０４）。
【００６５】
そして、図７に示した機能画面３２０１において、ＳＥＮＤボタン３２０３がユーザにより押下されたとき、ＣＰＵ２００１はＲＡＭ２００２内の部門ＩＤ設定管理領域エリア３６０１を検索し（３７０５）、部門ＩＤ設定管理領域エリア３６０１の該当する部門ＩＤ番号のレコードの指定表示３６０３が「０ｘ００００」である場合には、解像度指定により読み込み、送信を行う画面（図１３参照）を表示し（３７０６）、処理を終了する。
【００６６】
一方、部門ＩＤ設定管理領域エリア３６０１の該当する部門ＩＤ番号のレコードの指定表示３６０３が「０ｘ０００１」である場合には、変倍率指定により読み込み、送信を行う画面（図１４参照）を表示して（３７０７）、処理を終了する。
【００６７】
一方、ステップ（３７０２）で、ユーザによる部門ＩＤ入力フィールド３１０２とパスワード入力フィールド３１０３への入力が行われた時点で、かつ、ステップ（３７０３）で、ＣＰＵ２００１はＲＡＭ２００２内の部門ＩＤ設定管理領域エリア３６０１を検索することで、ユーザによって入力された部門ＩＤ番号に対して送信表示設定が行われているかどうかを判断した際に、ユーザの入力した部門ＩＤ番号に対して送信表示設定が行われていないと判断した場合、送信画面に切り替えられるのを待ち（３７０８）、送信画面に切り替えられたら、機能画面を標準指定を使用するものと決定し（３７０９）、図７に示した機能画面３２０１において、ＳＥＮＤボタン３２０３がユーザにより押下されたとき、ＣＰＵ２００１はＲＡＭ２００２内の部門ＩＤ設定管理領域エリア３６０１の部門ＩＤ番号「００００」番のレコードを参照して表示指定方法がいずれであるかを判断し（３７１０）、部門ＩＤ設定管理領域エリア３６０１の部門ＩＤ番号００００のレコードの指定表示３６０３が「０ｘ００００」であると判断した場合には、解像度指定（ｄｐｉｓ指定）により読み込み、送信を行う画面（図１３）を表示して（３７１１）、処理を終了する。
【００６８】
一方、ステップ（３７１０）で、部門ＩＤ設定管理領域エリア３６０１の部門ＩＤ番号００００のレコードの指定表示３６０３が「０ｘ０００１」であると判断した場合には、変倍率指定（％指定）により読み込み、送信を行う画面（図１４）を表示して（３７１２）、処理を終了する。
【００６９】
なお、図１３，図１４に示すように、指定エリア内において、選択されたメインの表示形態に対して、他の表示形態がある場合には、その形態を表示可能な領域内にサブ表示（解像度指定表示であれば倍率指定表示をサブ表示すること、逆に、倍率指定表示であれば解像度指定表示をサブ表示すること）するように構成することは任意である。
【００７０】
上記実施形態によれば、ユーザに応じて画像読み取りのためのユーザインタフェースを変更することによって、異なる経験のユーザに対して容易に操作を行うことができる。
【００７１】
以下、図１５に示すメモリマップを参照して本発明に係る画像処理装置で読み出し可能なデータ処理プログラムの構成について説明する。
【００７２】
図１５は、本発明に係る画像処理装置で読み出し可能な各種データ処理プログラムを格納する記憶媒体のメモリマップを説明する図である。
【００７３】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００７４】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００７５】
本実施形態における図１２に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００７６】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００７７】
この場合、記憶媒体から読み出されたプログラムコード自体が本発明の新規な機能を実現することになり、そのプログラムコードを記憶した記憶媒体は本発明を構成することになる。
【００７８】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【００７９】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００８０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００８１】
本発明は上記実施形態に限定されるものではなく、本発明の趣旨に基づき種々の変形（各実施形態の有機的な組合せを含む）が可能であり、それらを本発明の範囲から排除するものではない。
【００８２】
【発明の効果】
以上説明したように、本発明によれば、原稿画像を読み取って処理する画像処理装置において、原稿画像入力時に操作部に表示すべき画像読み取り方法をユーザＩＤ毎に登録しておき、ユーザによる原稿画像の読み取り時に、入力されるユーザＩＤに基づいて、操作画面に表示すべき画像読み取り方法を切り替え制御することにより、ユーザが原稿画像を読み取らせる処理を行う際に、個々のユーザ毎に異なる画像処理操作環境に適応して、それぞれのユーザが戸惑うことなく手慣れている読み取り方法で意図する画像の読み取り操作指示を誤り無く行える利便性に優れた画像処理操作環境を自在に構築することができるという効果を奏する。
【図面の簡単な説明】
【図１】本発明の第１実施形態を示す画像処理装置を適用可能な画像形成システムの全体の構成を説明するブロック図である。
【図２】図１に示した画像形成装置のコントロールユニットの構成を説明するブロック図である。
【図３】図２に示したスキャナとプリンタとが通信可能な画像入出力デバイス例を説明する図である。
【図４】図３に示した画像入力デバイスが備える操作部の構成を説明する平面図である。
【図５】図２に示した操作部および操作部インタフェースの詳細構成を説明するブロック図である。
【図６】図５に示したＬＣＤ表示部に表示される操作画面例を説明する図である。
【図７】図５に示したＬＣＤ表示部に表示される操作画面例を説明する図である。
【図８】図５に示したＬＣＤ表示部に表示される操作画面例を説明する図である。
【図９】図５に示したＬＣＤ表示部に表示される操作画面例を説明する図である。
【図１０】図５に示したＬＣＤ表示部に表示される操作画面例を説明する図である。
【図１１】図２に示したＲＡＭの領域に確保される部門ＩＤ設定管理領域エリアの登録データ例を示す図である。
【図１２】本発明に係る表示制御装置におけるユーザインタフェース切り替え制御手順の一例を示すフローチャートである。
【図１３】本発明に係る画像処理装置におけるユーザインタフェース切り替え表示例を示す図である。
【図１４】本発明に係る画像処理装置におけるユーザインタフェース切り替え表示例を示す図である。
【図１５】本発明に係る画像処理装置で読み出し可能な各種データ処理プログラムを格納する記憶媒体のメモリマップを説明する図である。
【符号の説明】
２００１　ＣＰＵ
２００２　ＲＡＭ
２００３　ＲＯＭ
２０１２　操作部
【図１】
2004112008.tif 000003
【図２】
2004112008.tif 000004
【図３】
2004112008.tif 000005
【図４】
2004112008.tif 000006
【図５】
2004112008.tif 000007
【図６】
2004112008.tif 000008
【図７】
2004112008.tif 000009
【図８】
2004112008.tif 000010
【図９】
2004112008.tif 000011
【図１０】
2004112008.tif 000012
【図１１】
2004112008.tif 000013
【図１２】
2004112008.tif 000014
【図１３】
2004112008.tif 000015
【図１４】
2004112008.tif 000016
【図１５】
2004112008.tif 000017